(57)【特許請求の範囲】
【請求項１】
口頸部２を起立して、該口頸部の下部外面に嵌合突条３を周設した容器体Ａと、
上記口頸部外面へ嵌合させた弾性変形可能な外周壁４の下部内面に嵌合溝５を周設して、該嵌合溝内へ上記嵌合突条３を着脱自在に嵌合させると共に、外周壁４に下端開口の複数の割溝６を縦設し、かつ外周壁上端に付設した内向きフランジ状頂壁７上面からキャップ嵌合筒８を起立し、該嵌合筒下部内面から口頸部内壁面へ水密に接する吊持ち筒部１１を垂下し、該吊持ち筒部下端に付設した内向きフランジ１２内周から後面および上面開放の樋状注出部１３を、キャップ嵌合筒８よりも高く起立した注出部材Ｂと、
上記外周壁４外面へ着脱自在に嵌合させたカバー筒１４上端に内向きフランジ状係合板１５を付設して、該係合板を上記内向きフランジ状頂壁７上面へ係合させたカバー部材Ｃと、
上記吊持ち筒部１１の下部内面へ、頂板１８外周から垂設した周壁１９下部外面を水密に嵌合させると共に、該周壁外面に付設した外向きフランジ２０を上記キャップ嵌合筒８上端へ載置させ、かつ該外向きフランジ外周から垂下した外筒２１をキャップ嵌合筒８外面へ螺合させた計量カップＤとを有し、
上記外周壁４の弾性係数を、該外周壁を径方向外方へ弾性変形させることで、上記嵌合溝５が嵌合突条３から径方向外方へ離脱可能な値に定めた、
ことを特徴とする液体注出容器。
【請求項２】
上記吊持ち筒部１１の下端面１０を前部が高い傾斜状に形成した、
ことを特徴とする請求項１記載の液体注出容器。
【発明の詳細な説明】
【０００１】
【発明の属する技術分野】
本発明は洗剤等の液体が入った容器体の口頸部に注出部を装着した液体注出容器に関する。
【０００２】
【従来の技術】
例えば、実開昭６２−９９５４１号が示すように、容器体の口頸部上端から第１内向きフランジを介して吊下げ筒部を垂下すると共に、該筒部下端に付設した第２内向きフランジ内周から注出筒を容器体口頸部よりも高く起立し、また、吊下げ筒部の上端部内面へ、頂板部外周から垂下する側壁部を嵌合させると共に、該側壁部に付設した環状肩部を第１内向きフランジ上へ載置させ、さらに、頂板部の中央部から筒内へ注出筒を挿入させて筒状の計量壁部を垂下する計量カップが知られている。
また、特開昭６２−１９３９６２号が示すように、ねじ切りされた外部ねじ山を伴った首部を有する中空プラスチック容器と、取付部材と、取付部材と首部との間の相互係合手段とを含む包装中で使用するための液体を収容及び分配する密閉部材と取付部材において、取付部材は内壁部分を有し、内壁部分は注入リップを画定しており、注入リップは首部内から該首部の端部を越えて軸方向へ延在し、取付部材は内壁部に接続された環状外壁部を備えており、カップ状密閉部材が頂壁及び頂壁から延在する周辺壁部を含み、周辺壁部は取付部材の外壁部内を軸方向内方に延在しており、密閉部材は環状外壁部を備え、環状外壁部は内部ねじ山を有し、内部ねじ山は容器の首部上の外部ねじ山と係合しており、シールを画定するために容器の首部と係合する取付部材上の手段と、密閉部材と取付部材との間にあってシールを画定する手段とを含む、液体を収容及び分配する包装が知られている。
【０００３】
【発明が解決しようとする課題】
詰替え容器の液体を容器体に詰め替える場合、詰替え容器の注出口を容器体口頸部に臨ませるのが通常である。しかし、上記公知例の前者では注出筒を、また後者では注入リップを、それぞれ容器体口頸部上端よりも高く起立しているので、詰替え用容器の注出口を容器体口頸部上端へ近接させて臨ませることが困難である。このため詰替え時に注出筒や注入リップを容器体から取り外せるようにすることが望まれる。
しかし、公知例の前者では、注出筒を起立する吊下げ筒部が容器本体と一体であるから、注出筒の取外しは不可能である。他方、公知例の後者では、注入リップを有する取付部材と容器の首部とは別体であるが、取付部材の環状外壁部の外周端が容器の首部上端へ巻締めにより嵌合されているため、容器の首部から環状外壁部を取り外すことは不可能ではないにしても頗る困難である。
【０００４】
請求項１記載の発明に係る液体注出容器は、口頸部へ嵌合させる外周壁に割溝を設けて、該外周壁を口頸部から離脱可能とすることにより、詰替え時に樋状注出部を有する注出部材が容器体から取り外せるようにするものである。
【０００５】
【課題を解決するための手段】
第１の手段として、口頸部２を起立して、該口頸部の下部外面に嵌合突条３を周設した容器体Ａと、
上記口頸部外面へ嵌合させた弾性変形可能な外周壁４の下部内面に嵌合溝５を周設して、該嵌合溝内へ上記嵌合突条３を着脱自在に嵌合させると共に、外周壁４に下端開口の複数の割溝６を縦設し、かつ外周壁上端に付設した内向きフランジ状頂壁７上面からキャップ嵌合筒８を起立し、該嵌合筒下部内面から口頸部内壁面へ水密に接する吊持ち筒部１１を垂下し、該吊持ち筒部下端に付設した内向きフランジ１２内周から後面および上面開放の樋状注出部１３を、キャップ嵌合筒８よりも高く起立した注出部材Ｂと、
上記外周壁４外面へ着脱自在に嵌合させたカバー筒１４上端に内向きフランジ状係合板１５を付設して、該係合板を上記内向きフランジ状頂壁７上面へ係合させたカバー部材Ｃと、
上記吊持ち筒部１１の下部内面へ、頂板１８外周から垂設した周壁１９下部外面を水密に嵌合させると共に、該周壁外面に付設した外向きフランジ２０を上記キャップ嵌合筒８上端へ載置させ、かつ該外向きフランジ外周から垂下した外筒２１をキャップ嵌合筒８外面へ螺合させた計量カップＤとを有し、
上記外周壁４の弾性係数を、該外周壁を径方向外方へ弾性変形させることで、上記嵌合溝５が嵌合突条３から径方向外方へ離脱可能な値に定めた。
第２の手段として、上記第１の手段を有すると共に、上記吊持ち筒部１１の下端面１０を前部が高い傾斜状に形成した。
【０００６】
【発明の実施の形態】
以下、本発明に係る液体注出容器の実施形態を図面を参照しながら説明する。
本発明は、容器体、注出部材、カバー部材及び計量カップを主要部材とする。
Ａは容器体で、胴部１の上端から口頸部２を起立して、該口頸部外面に嵌合突条３を周設し、該嵌合突条上面を下方大径の第１傾斜面３ａに形成する。
【０００７】
Ｂは注出部材で、口頸部２外面へ嵌合させた弾性変形可能な外周壁４の下端部内面に嵌合溝５を周設し、該嵌合溝内へ嵌合突条３を嵌合させる。
外周壁４のほぼ軸対称の位置に、その外周壁下面に開口する一対の割溝６を縦設する。これら割溝は図示のように、その幅を下方に向かうにつれて漸次増大させる。
さらに、外周壁４の嵌合溝５より下方部分内面を下方大径の第２傾斜面５ａに形成すると共に、外周壁４の下端部外面を下方大径の第１テーパ部を介して大外径部に形成する。
【０００８】
外周壁４上端に内向きフランジ状頂壁７を付設し、該内向きフランジ状頂壁の内周部上面からキャップ嵌合筒８を起立し、該嵌合筒外面に雄ねじ９を形成する。
キャップ嵌合筒８下端部内面から口頸部２の上部内壁面へ筒上部外面を水密に接触させて、下端面１０を前部が高い傾斜状とする吊持ち筒部１１を垂下する。
この吊持ち筒部１１下端に付設した内向きフランジ１２内周から後面および上面開放の樋状注出部１３を、キャップ嵌合筒８よりも高く起立する。
【０００９】
Ｃはカバー部材で、外周壁４外面へ嵌合させたカバー筒１４上端に内向きフランジ状係合板１５を付設して、該係合板を内向きフランジ状頂壁７の外周部上面へ載置させると共に、カバー筒１４の下端部内面を、下方大径の第２テーパ部を介して大内径部に形成して、該第２テーパ部を外周壁４外面の第１テーパ部へ係合させる。
なお、カバー筒１４の上端部外面に把持用の突条１７を周設する。
【００１０】
Ｄは計量カップで、吊持ち筒部１１の下端部内面へ、頂板１８外周から垂設した周壁１９の下端部外面を水密に嵌合させる。
この周壁１９の上下方向中間部に付設した外向きフランジ２０をキャップ嵌合筒８上面へ載置させ、かつこの外向きフランジ２０外周から垂下した外筒２１内面に形成した雌ねじ２２をキャップ嵌合筒８外面の雄ねじ９へ螺合させる。
さらに、図示のように、外向きフランジ２０下面から嵌合筒２３を垂下して、該嵌合筒をキャップ嵌合筒８の上端部内面へ水密に嵌合させる。
なお、通常、周壁１９に計量用の目盛を付する。
【００１１】
次に、本実施形態の作用について説明する。
容器体Ａ内の洗剤等の液体を計量注出するには、計量カップＤをキャップ嵌合筒８から螺脱させて容器体Ａを前方へ傾ければよく、すると容器体内の液体が樋状注出部１３から計量カップＤ内へ注出される。
計量カップＤ内の液体を他の容器等に移すと、少量の液体が計量カップＤ上端から周壁１９外面をつたって流れ落ちることがあるが、これは液溜部２４に貯留するため、計量カップＤから流れ落ちて床等に付着することがない。
【００１２】
詰替え容器（図示せず）内の液体を容器体Ａ内に詰め替えるには、まず注出部材Ｂを口頸部２から取り外さなければならないが、このためには図２に示すように、カバー部材Ｃの把持用の突条１７を把持して、カバー筒１４を持ち上げて外周壁４から取り外す。
次いで、外周壁４の下端面へ爪等を掛けて、図２に示すように、外周壁４を前方（図面において左方）へ引くと、各割溝６が周方向へ拡開して外周壁４の前部が前方へ弾性変形することにより、外周壁４前部の嵌合溝５が嵌合突条３から前方へ離脱する。この状態で外周壁４前部を持ち上げることにより口頸部２から外周壁４を取り外すことができる。
こうして口頸部２から注出部材Ｂを取り外した後、詰替え容器の注出口（図示せず）を容器体口頸部２に臨ませて詰替えを行う。
【００１３】
詰替え後、注出部材Ｂを口頸部２へ装着させるには、外周壁４を口頸部２外面へ嵌合させればよく、すると外周壁４の第２傾斜面５ａが嵌合突条３の第１傾斜面３ａへ係合して、割溝６が拡開することにより外周壁４が径方向外方へ弾性変形する。そして、第２傾斜面５ａが嵌合突条３を乗り越えると、外周壁４の弾性変形抵抗力により嵌合溝５が嵌合突条３へ嵌合する。
【００１４】
注出部材Ｂの装着後、カバー筒１４を外周壁４外面へ嵌合させると、カバー筒１４の第２テーパ部が外周壁４の第１テーパ部へ係合すると共に、内向きフランジ状係合板１５が内向きフランジ状頂壁７上面ヘ載置される。
なお、計量カップＤをキャップ嵌合筒８へ螺合させる際に、液溜部２４に貯留した液体は吊持ち筒部１１内に落下して容器体Ａ内に流入する。
【００１５】
【発明の効果】
請求項１及び２記載の発明に係る液体注出容器は、注出部材の外周壁の嵌合溝を嵌合突条へ嵌合させると共に、外周壁に割溝を形成したので、割溝を拡開させると外周壁が弾性変形して嵌合溝が嵌合突条から離脱するため、外周壁を持ち上げることにより樋状注出部付きの注出部材を口頸部から容易に取り外すことができ、このため詰替え容器から容器体への詰め替え時において、注出部材が邪魔になることがなく、従って、詰替えが容易に行える。
【図面の簡単な説明】
【図１】本発明に係る液体注出容器を示すもので、一部を切り欠いた半断面図。
【図２】同じく、注出部材の取外し時の状態を示す作用説明図。
【符号の説明】
２  口頸部
３  嵌合突条
４  外周壁
５  嵌合溝
６  割溝
７  内向きフランジ状頂壁
８  キャップ嵌合筒
１０  下端面
１１  吊持ち筒部
１２  内向きフランジ
１３  樋状注出部
１４  カバー筒
１５  内向きフランジ状係合板
１８  頂板
１９  周壁
２０  外向きフランジ
２１  外筒
Ａ  容器体
Ｂ  注出部材
Ｃ  カバー部材
Ｄ  計量カップ
【図１】
0003928758.tif 000002
【図２】
0003928758.tif 000003